(57)【要約】      （修正有）【課題】使用者の手首や指に装着することにより携帯性に優れ、片手で簡単に付箋紙束に束ねられた最上層の付箋紙へメモを書き込むことができる付箋紙保持具を提供する。【解決手段】多数の付箋紙を重ねた付箋紙束を、剛性の支持プレート上に粘着させて支持し、付箋紙束を支持する支持プレートを、手首若しくは指に着脱自在に巻き付けられる巻き付け部の表面に取り付ける。付箋紙束は、剛性の支持プレートを介して手首若しくは指に装着される。【選択図】図１
0003175101.tif 000002
【実用新案登録請求の範囲】
【請求項１】
手首若しくは指に着脱自在に巻き付けられる巻き付け部と、
平面にメモを書き込み可能な書き込み領域が形成され、底面に粘着層が付着された多数の付箋紙を、各付箋紙の輪郭を一致させて積層した付箋紙束と、
前記付箋紙束の最下層の付箋紙の底面に付着された前記粘着層により、前記付箋紙束を平面上に粘着させて支持する剛性の支持プレートとを備え、
前記支持プレートを前記巻き付け部の表面に取り付け、前記巻き付け部が巻き付けられた手首若しくは指に前記付箋紙束を装着することを特徴とする付箋紙保持具。
【請求項２】
前記巻き付け部が、指輪を模造した形状に形成されるとともに、前記各付箋紙は、前記指輪に付けられるアクセサリーの輪郭に合わせた輪郭で形成され、前記各付箋紙の平面に前記アクセサリーの平面形状が印刷されていることを特徴とする請求項１に記載の付箋紙保持具。
【請求項３】
前記巻き付け部が、時計バンドを模造した形状に形成されるとともに、前記各付箋紙は、腕時計の輪郭に合わせた輪郭で形成され、前記各付箋紙の平面に前記腕時計の平面形状が印刷されていることを特徴とする請求項１に記載の付箋紙保持具。
【請求項４】
前記各付箋紙の平面に、前記腕時計の時刻表示が印刷されていることを特徴とする請求項３に記載の付箋紙保持具。
【考案の詳細な説明】
【技術分野】
【０００１】
本考案は、指若しくは腕に多数の付箋紙を重ねた付箋紙束を装着する付箋紙保持具に関する。
【背景技術】
【０００２】
付箋紙は、書籍等に貼り付け剥がす見出しとしての用途に加え、平面にメモを書き込むメモ用紙としても用いられている。一般に、付箋紙は多数の各付箋紙の輪郭を揃えて積層させたブロック状の付箋紙束として束ねられ、事務作業を行う周辺の机や引き出しの中に置かれているが、使用の際にすぐに見つからないという問題があり、また、頻繁に付箋紙を使用する場合には、作業の近辺に配置しておくことが臨まれる。
【０００３】
そこで、従来、ボールペンの一部を切り欠き、その切り欠いた凹部内に付箋紙束を装着する半円筒形のインデックスケースを収容し、ポールペンの上部から付箋紙を一枚づつ取り出し可能としたボールペンの考案が知られている（特許文献１）。この考案によれば、事務作業で使用するボールペンに付箋紙束を装着しておくことができるので、使用の際に付箋紙を探す手間がなく、容易に一枚の付箋紙が得られる。
【０００４】
また、クリップ付きの剛性を有するメモ板に、付箋紙束を貼り付けたクリップ付き携帯メモの考案も知られている（特許文献２）。このクリップ付き携帯メモによれば、使用者のポケットや事務作業で用いる書類の頁などにクリップで付箋紙束が貼り付けられたメモ板を係止しておくことができ、同様に付箋紙を探すことがなく、また、メモ板を台紙として付箋紙に直接メモを書き込むことができる。
【０００５】
一方、看護師等の医療従事者やツアーコンダクターなどは、片手がふさがった状態でメモを書き留めたい、書き留める為の時間を短縮したいという要望があり、腕時計の内方の収容部にロール状のメモシートを収容したメモ用具も提案されている（特許文献３）。このメモ用具は、腕時計の内方の収容部から、腕時計を巻き付けた使用者の手首の甲側にロール状のメモシートを引き出し、手の甲に展開したメモシートへ、空いた他方の手でメモを記入する。
【先行技術文献】
【特許文献】
【０００６】
【特許文献１】特開平１１−１３９０８１号公報
【特許文献２】実用新案登録第３０９１６００号公報
【特許文献３】特開２０１１−１８３６６０号公報
【考案の概要】
【考案が解決しようとする課題】
【０００７】
特許文献１の考案は、使用者が使用するボールペン自体に付箋紙が装着されているので、付箋紙にメモを書き込む場合には、付箋紙束から剥がした付箋紙を剛性のある別の台紙等の上に貼り付けてそのボールペンで書き込むこととなり、書き込むまでの煩わしさがあるとともに、一度別の台紙などに貼り付けた付箋紙は粘着力が低下し、必要な位置に貼り直した後は、はがれやすい。
【０００８】
付箋紙束が装着されたボールペンとは別の筆記具を用いて、付箋紙束の最上層の付箋紙にメモを書き込むこともできるが、片手でボールペンを持ちながら、別の筆記具を用いてボールペンの狭い凹部内に配置された付箋紙へ書き込むこととなるので、書き込み作業が煩わしい。
【０００９】
また、特許文献２に記載のクリップ付き携帯メモは、メモ板を台紙として直接付箋紙束に束ねられた最上層の付箋紙へメモを書き込むことができるが、片手でメモ板を持ちながら、他方の手で書き込むので、メモの書き込みに両手がふさがれる。また、クリップを係止した衣服、書類などが使用者から離れた場所に置かれた場合には、結局、付箋紙束が貼り付けられたメモ板を探す手間が必要となる。
【００１０】
特許文献３に係るメモ用具は、使用者の手首に装着するので携帯性に優れ、また、片手でメモシートにメモを書き込むことができるが、メモシートを引き出した後、収容部へ収容する巻き取り機構があるので、メモを書き込む際には、メモシートを引き出した状態に安定させる必要がある。そこで、メモシートの先端にフックを固定し、このフックを指の間で挟み、引き出したメモシートの状態を保持しているが、フックを指で挟みながらメモシートに書き込む作業は極めて困難で、実用性に欠ける。
【００１１】
また、腕時計と時計バンドの間のわずかな空間に、ロール状のメモシートを収納する収納部やメモシートを引き込む巻き取り機構を設ける必要があり、構造が複雑で、手首に巻き付ける腕時計の美感も損なわれる。
【００１２】
本考案は、このような従来の問題点を考慮してなされたものであり、使用者の手首や指に装着することにより携帯性に優れ、片手で簡単に付箋紙束に束ねられた最上層の付箋紙へメモを書き込むことができる付箋紙保持具を提供することを目的とする。
【００１３】
また、使用者の手首や指に付箋紙束を装着しても、美感が損なわれず、使用者が興味を惹くデザインで、商品価値に優れた付箋紙保持具を提供することを目的とする。
【課題を解決するための手段】
【００１４】
上述の目的を達成するため、請求項１の付箋紙保持具は、手首若しくは指に着脱自在に巻き付けられる巻き付け部と、平面にメモを書き込み可能な書き込み領域が形成され、底面に粘着層が付着された多数の付箋紙を、各付箋紙の輪郭を一致させて積層した付箋紙束と、付箋紙束の最下層の付箋紙の底面に付着された粘着層により、付箋紙束を平面上に粘着させて支持する剛性の支持プレートとを備え、支持プレートを巻き付け部の表面に取り付け、巻き付け部が巻き付けられた手首若しくは指に付箋紙束を装着することを特徴とする。
【００１５】
手首若しくは指に巻き付けられる巻き付け部の表面に、付箋紙束を粘着させて支持する支持プレートが取り付けられるので、巻き付け部と支持プレートを介して、付箋紙束が使用者の手首若しくは指に装着される。
【００１６】
付箋紙束は、剛性の支持プレートの平面に支持されるので、付箋紙束が装着されていない他方の片手で、支持プレートを台紙として付箋紙束の最上層の付箋紙の平面にメモを書き込むことができ、メモを書き込んだ付箋紙を付箋紙束からはがして所望の位置へ貼り付けることができる。
【００１７】
請求項２の付箋紙保持具は、巻き付け部が、指輪を模造した形状に形成されるとともに、各付箋紙は、指輪に付けられるアクセサリーの輪郭に合わせた輪郭で形成され、各付箋紙の平面にアクセサリーの平面形状が印刷されていることを特徴とする。
【００１８】
巻き付け部と付箋紙束の全体が、指輪に取り付けられた宝石等のアクセサリーに似せた外形となるので、指に付箋紙束を装着しても美感が損なわれず、趣向を凝らした事務用品として使用者の興味を惹く商品と認識される。
【００１９】
請求項３の付箋紙保持具は、巻き付け部が、時計バンドを模造した形状に形成されるとともに、各付箋紙は、腕時計の輪郭に合わせた輪郭で形成され、各付箋紙の平面に腕時計の平面形状が印刷されていることを特徴とする。
【００２０】
巻き付け部と付箋紙束の全体が、腕時計に似せた外形となるので、手首に付箋紙束を装着しても美感が損なわれず、趣向を凝らした事務用品として使用者の興味を惹く商品と認識される。
【００２１】
請求項４の付箋紙保持具は、各付箋紙の平面に、腕時計の時刻表示が印刷されていることを特徴とする。
【００２２】
各付箋紙の平面に印刷される腕時計の時刻表示を利用して、時刻をメモ書きできる。
【考案の効果】
【００２３】
請求項１の付箋紙保持具によれば、簡単な構成で、使用者の指や腕に付箋紙束を装着でき、付箋紙にメモを書き込んだり付箋紙を所望の位置へ貼り付ける際に、付箋紙束を探す手間がない。
【００２４】
また、使用者は、可撓性の付箋紙へ片手で容易にメモを書き留めることができる。
【００２５】
請求項２の付箋紙保持具によれば、デザイン上の違和感がなく、装飾品に見せかけて付箋紙束を使用者の指に装着できることができるので、使用する者の興味を惹く趣向を凝らした事務用品として、商品価値を高めることができる。
【００２６】
請求項３の付箋紙保持具によれば、デザイン上の違和感がなく、腕時計に見せかけて付箋紙束を使用者の手首に装着できることができるので、使用する者の興味を惹く趣向を凝らした事務用品として、商品価値を高めることができる。
【００２７】
請求項４の付箋紙保持具によれば、メモ書きとして書き留めておく時刻を、腕時計に見せかけて各付箋紙の平面に印刷される腕時計の時刻表示を利用して簡単に記入できる。
【図面の簡単な説明】
【００２８】
【図１】本考案の第１実施の形態に係る指輪形付箋紙保持具１を示す斜視図である。
【図２】指輪形付箋紙保持具１の分解斜視図である。
【図３】指輪形付箋紙保持具１の（ａ）は、ハート形付箋紙４にメモを書き込む状態を、（ｂ）は、ハート形付箋紙束５からハート形付箋紙４を剥がす状態を、それぞれ示す斜視図である。
【図４】本考案の第２実施の形態に係る指輪形付箋紙保持具１０を示す斜視図である。
【図５】指輪形付箋紙保持具１０の分解斜視図である。
【図６】本考案の第３実施の形態に係る腕時計形付箋紙保持具２０を示す斜視図である。
【図７】腕時計付箋紙保持具２０の分解斜視図である。
【図８】腕時計付箋紙保持具２０の腕時計形付箋紙２１の平面図である。
【図９】腕時計形付箋紙保持具２０の（ａ）は、腕時計形付箋紙２１にメモを書き込む状態を、（ｂ）は、腕時計形付箋紙束２２から腕時計形付箋紙２１を剥がす状態を、それぞれ示す斜視図である。
【図１０】腕時計形付箋紙３１にメモを書き込んだ状態を示す本考案の第４実施の形態に係る腕時計付箋紙保持具３０の平面図である。
【考案を実施するための形態】
【００２９】
以下、本考案の第１実施の形態に係る指輪形付箋紙保持具１について、図１乃至図３を用いて説明する。指輪形付箋紙保持具１は、図２に示すように、リング部２ａと台座２ｂが合成樹脂で一体に形成された指輪部２と、ハート形の輪郭を互いに一致させて積層された多数のハート形付箋紙４からなるハート形付箋紙束５と、ハート形付箋紙束５を平面上に支持する支持プレート３とから構成されている。
【００３０】
リング部２ａは、円環の一部が切断されたＣ字状に形成され、弾性変形してその内径が変化し、使用者の異なる太さの指に対して着脱自在に装着できるようになっている。リング部２ａの外側面に突設される台座２ｂは、リング部２ａから外方に向かって拡径する逆円錐状でその平面は、平板状の支持プレート３を支持する平坦面に形成されている。
【００３１】
ハート形付箋紙４は、底面に従来公知の不乾接着剤からなる粘着層が付着され、書籍や書類に一時的に貼り付けるしおりとして用いられる他に、パソコンのディスプレー等に貼り付けて備忘禄や伝言メモとしての用途でも使用可能なように、平面の全体をメモを書き込み可能な書き込み領域４ａとしている。ハート形付箋紙４の使用前の状態では、多数のハート形付箋紙４が、上層側の各付箋紙４の底面の粘着層が下層側の各付箋紙４の平面に粘着して、ハート形の輪郭が一致する状態で積層され、ブロック状のハート形付箋紙束５として束ねられている。
【００３２】
支持プレート３は、硬質の形紙をハート形付箋紙４の輪郭と同形状の輪郭に切り抜いて形成され、ハート形付箋紙束５の輪郭に一致させて支持プレート３の平面に、最下層のハート形付箋紙４の底面に付着する粘着層を粘着し、平面上にハート形付箋紙束５を支持する。これにより、ハート形付箋紙４が可撓性の紙片であっても、その下方に剛性を有する支持プレート３が配設されるので、書き込み領域４ａへの書き込みが可能となる。
【００３３】
ハート形付箋紙束５を支持する支持プレート３は、更に、その底面に塗布された不乾接着剤により指輪部２の台座２ｂの平面に接着され、図１に示すように、指輪部２の表面に取り付けられる。ハート形付箋紙束５と支持プレート３は、指輪部２に取り付けられる前に、消耗品であるハート形付箋紙４の交換用として、一体のブロック状ユニットで製造され、ブロック状ユニットの状態では、底面の不乾接着剤が剥離可能な剥離紙（図示せず）で覆われている。ハート形付箋紙束５の全てのハート形付箋紙４を剥がして使用した後は、指輪部２の台座２ｂから支持プレート３を剥がして取り除き、ブロック状ユニットの剥離紙を剥がして、台座２ｂの平面にハート形付箋紙束５を支持する支持プレート３を接着して取り付ける。
【００３４】
このように構成された指輪形付箋紙保持具１は、台座２ｂを上方側とした指輪部２のリング部２ａへ、利き手と逆側の手の例えば人差し指を挿入し、図３（ａ）に示すように、手の甲側の人差し指にハート形付箋紙束５を装着する。リング部２ａは、人差し指の周囲に撓みながら巻き付けられ、人差し指の上方にハート形付箋紙束５ががたつきなく支持されるので、ハート形付箋紙束５を装着した側の手で物を持ちながら、他側の利き手で握った筆記具６によりハート形付箋紙束５の表面に表れるハート形付箋紙４の書き込み領域４ａへ所定のメモを書き込むことができる。
【００３５】
書き込み領域４ａへメモを書き込むか否かにかかわらず、最上層のハート形付箋紙４は、図３（ｂ）に示すように、ハート形付箋紙束５から剥がし、パソコンのディスプレー等の所望の位置に貼り付けて、しおりや伝言メモとすることができる。
【００３６】
指輪部２に取り付けられる付箋紙束や支持プレートの形状は、任意の形状とすることができ、本考案の第２実施の形態に係る指輪形付箋紙保持具１０では、複数の付箋紙からなる付箋紙束の形状を、指輪に付けられる宝石に似せた宝石形付箋紙束１２としている。以下、この指輪形付箋紙保持具１０について、図４と図５を用いて説明するが、第１実施の形態に係る指輪形付箋紙保持具１とは、支持プレートの輪郭形状と付箋紙が異なるのみであるので、共通する構成については同一番号を付してその説明を省略する。
【００３７】
指輪形付箋紙保持具１０では、付箋紙が宝石の外形に合わせて８角形の輪郭に形成された宝石形付箋紙１１となっている。宝石形付箋紙１１の平面には、その周囲に沿って宝石のカットを示すカット模様１１ａが印刷され、カット模様１１ａで囲まれる内側が書き込み領域１１ｂとなっている。従って、８角形の輪郭を一致させて多数の宝石形付箋紙１１を積層した宝石形箋紙束１２は、輪郭が８角形のブロック状で宝石を模造した立体形状となる。
【００３８】
この宝石形箋紙束１２は、輪郭を一致させた支持プレート１３の平面上に粘着して支持され、宝石形箋紙束１２を支持する支持プレート１３を指輪部２の台座２ｂ上に接着し、リング部２ａの表面に取り付けることにより、図４に示すように、指輪に付けられた宝石のように見える。
【００３９】
上述の第１、第２実施の形態では、付箋保持具１、１０を指輪を模造した形状としたが、腕時計を模造した形状とすることもできる。以下、外形を腕時計に似せた本考案の第３実施の形態に係る腕時計形付箋保持具２０を、図６乃至図９を用いて説明する。
【００４０】
腕時計形付箋保持具２０は、図７に示すように、合成樹脂で時計バンドに似せて形成したバンド部２３と、腕時計に似せた長方形の輪郭とした多数の腕時計形付箋紙２１を各輪郭を一致させて積層させた腕時計形付箋紙束２２と、腕時計形付箋紙束２２を平面上に支持する支持プレート２４とから構成されている。
【００４１】
バンド部２３は、帯状の中央に支持プレート２４を接着して取り付ける円形の取り付け部２３ａが形成され、取り付け部２３ａに連続する一方の帯状バンドの表面と、他方の帯状バンドの背面に、互いの凹凸で組み付けられる面ファスナー２３ｂが形成されている。このバンド部２３は、取り付け部２３ａが使用者の手の甲側となるように手首に巻き付け、帯状バンドが重なる対向部位に形成された一組の面ファスナー２３ｂを貼り付けることにより、手首に取り付けられる。
【００４２】
腕時計形付箋紙２１は、ハート形付箋紙４と同様に、底面に従来公知の不乾接着剤からなる粘着層が付着され、平面の全体をメモを書き込み可能な書き込み領域２１ａとしている。更に、この腕時計形付箋紙２１では、図８に示すように、平面にデジタル時刻表示を含む腕時計の時計表示模様２１ｂが薄い濃度で印刷され、時刻をメモ書きする下書きとなっている。
【００４３】
腕時計形付箋紙２１の使用前の状態では、多数の腕時計形付箋紙２１が、上層側の各付箋紙２１の底面の粘着層が下層側の各付箋紙２１の平面に粘着して、長方形の輪郭が一致する状態で積層され、ブロック状の腕時計形付箋紙束２２として束ねられている。
【００４４】
ブロック状の腕時計形付箋紙束２２の底面には、最下層の腕時計形付箋紙２１の粘着層が粘着しているので、同形状の長方形の輪郭に切り抜いて形成された支持プレート２４の平面上に粘着させることにより、支持プレート２４の平面上に腕時計形付箋紙束２２が支持される。これにより、腕時計形付箋紙２１が可撓性の紙片であっても、その下方に剛性を有する支持プレート２４が配設されるので、書き込み領域２１ａへの書き込みが可能となる。
【００４５】
腕時計形付箋紙束２２と支持プレート２４は、バンド部２３に取り付けられる前に、消耗品である腕時計形付箋紙２１の交換用として、一体のブロック状ユニットで製造され、ブロック状ユニットの状態では、支持プレート２４の底面の不乾接着剤が剥離可能な剥離紙（図示せず）で覆われている。腕時計形付箋紙束２２の全ての腕時計形付箋紙２１を剥がして使用した後は、バンド部２３の取り付け部２３ａから支持プレート２４を剥がして取り除き、ブロック状ユニットの剥離紙を剥がして、取り付け部２３ａの平面に腕時計形付箋紙束２２が支持された支持プレート２４を接着して取り付ける。
【００４６】
このように構成された腕時計形付箋保持具２０は、取り付け部２３ａを上方側としたバンド部２３を、利き手と逆側の手首に巻き付け、図９（ａ）に示すように、腕時計形付箋紙束２２を装着する。バンド部２３は、一対の面ファスナー２３ｂ間が貼り付けられることにより、手首の上方に腕時計形付箋紙束２２ががたつきなく支持され、空いた利き手で握った筆記具６により表面に表れる腕時計形付箋紙２１の書き込み領域２１ａへ所定のメモを書き込むことができる。
【００４７】
書き込み領域２１ａへメモを書き込むか否かにかかわらず、最上層の腕時計形付箋紙２１は、図９（ｂ）に示すように、腕時計形付箋紙束２２から剥がして、パソコンのディスプレー等の所望の位置に貼り付けて、しおりや伝言メモとすることができる。
【００４８】
この腕時計形付箋保持具２０では、腕時計形付箋紙２１が腕時計の外形に合わせた４角形の輪郭に形成され、その平面に、デジタル時刻表示を含む腕時計の時計表示模様２１ｂが印刷されているので、腕時計形付箋紙束２２は腕時計に似た外形となり、腕時計形付箋紙束２２が支持プレート２４を介して時計バンドに似せたバンド部２３に取り付けられることにより、時計バンド付きの腕時計を模造した形状となる。
【００４９】
また、この腕時計に見せ掛けて腕時計形付箋紙２１の平面に印刷した時計表示模様２１ｂを下書きにして、メモで記録しておく予定の時間を書き込み領域２１ａへ書き込むことができる。
【００５０】
本実施の形態に係る腕時計形付箋紙２１や支持プレート２４の形状も、任意の形状とすることができ、図１０に示す第４実施の形態に係る腕時計形付箋保持具３０では、腕時計形付箋紙３１の輪郭を円形とし、時計の文字盤を表す時計表示模様３１ｂが印刷された平面を文字を書き込み可能な書き込み領域３１ａとしている。尚、図１０においても、第４３施の形態に係る腕時計形付箋保持具２０と同一若しくは相当する構成は、同一番号を付している。
【００５１】
この腕時計形付箋保持具３０によれは、多数の腕時計形付箋紙３１を重ねた腕時計形付箋紙束３２が円形の腕時計に似たブロック状に表れ、腕時計形付箋紙束３２を、違和感がないばかりか、遊び心をもって手首に装着することができる。更に、腕時計に見せ掛けて腕時計形付箋紙３１の平面に印刷した時計表示模様３１ｂを下書きにして、長針に似せた直線３２を記入するだけで、メモで記録しておく予定の時間を書き込むことができる。
【００５２】
上述の各実施の形態では、使用者の指や手首に巻き付ける巻き付け部である指輪部２やバンド部２３を合成樹脂で形成したが、これにに限らず種々の材料で形成することができ、例えば、指輪部２を貴金属で、バンド部２３を皮革で形成し、より模造する指輪や腕時計に近い材質で形成してもよい。
【００５３】
また、支持プレート３，１３，２４は、硬質の形紙を用いたが、付箋紙を書き込み自在に支持できる剛性があれば、合成樹脂、金属など他の材質で形成してもよい。更に、支持プレート３，１３，２４は、使用前に、付箋紙束５、１２、２２が粘着する一体のブロック状ユニットして製造される例で説明したが、指輪部２やバンド部２３の表面に取り付け、若しくは一体に成形した支持プレートに対して、付箋紙束５、１２、２２を粘着させるものであってもよい。
【産業上の利用可能性】
【００５４】
付箋紙に片手でメモを書き込む付箋紙保持具に適している。
【符号の説明】
【００５５】
１      指輪形付箋紙保持具（第１実施の形態）
２      指輪部（巻き付け部）
３      支持プレート
４      ハート形付箋紙
４ａ    書き込み領域
５      ハート形付箋紙束
１０    指輪形付箋紙保持具（第２実施の形態）
１１    宝石形付箋紙
１１ｂ  書き込み領域
１２    宝石形付箋紙束
１３    支持プレート
２０    腕時計形付箋紙保持具（第３実施の形態）
２１    腕時計形付箋紙
２１ａ  書き込み領域
２１ｂ  時計表示模様（時刻表示）
２２    腕時計形付箋紙束
２３    バンド部（巻き付け部）
２４    支持プレート
３０    腕時計形付箋紙保持具（第４実施の形態）
３１    腕時計形付箋紙
３１ａ  書き込み領域
３１ｂ  時計表示模様（時刻表示）
【図１】
0003175101.tif 000003
【図２】
0003175101.tif 000004
【図３】
0003175101.tif 000005
【図４】
0003175101.tif 000006
【図５】
0003175101.tif 000007
【図６】
0003175101.tif 000008
【図７】
0003175101.tif 000009
【図８】
0003175101.tif 000010
【図９】
0003175101.tif 000011
【図１０】
0003175101.tif 000012